(57)【要約】【課題】輝度ムラの少ない光線制御ユニットを提供すること。【解決手段】本発明の光線制御ユニットは、シート面に垂直に光線を入射した場合に、前記シート面内の所定の方向に沿って拡散角度が周期的に変化する拡散シート（Ａ）と、前記拡散シートと共に用いられる複数の光学シートとを備え、前記光学シートが、プリズムシート（Ｂ）、表面に複数のビーズをコートした拡散シート（Ｃ）、表面にランダムな凹凸形状を成形した拡散シート（Ｄ）、集光拡散シート（Ｅ）、表面をレンチキュラーレンズ状に成形した拡散シート（Ｆ）のいずれかであることを特徴とする。【選択図】図３
2010250302.tif 000002
【特許請求の範囲】
【請求項１】
シート面に垂直に光線を入射した場合に、前記シート面内の所定の方向に沿って拡散角度が周期的に変化する拡散シート（Ａ）と、前記拡散シートと共に用いられる複数の光学シートとを備え、前記光学シートのシート面内の拡散角度が全面に渡って略一定であることを特徴とする光線制御ユニット。
【請求項２】
シート面に垂直に光線を入射した場合に、前記シート面内の所定の方向に沿って拡散角度が周期的に変化する拡散シート（Ａ）と、前記拡散シートと共に用いられる複数の光学シートとを備え、前記光学シートが、プリズムシート（Ｂ）、表面に複数のビーズをコートした拡散シート（Ｃ）、表面にランダムな凹凸形状を成形した拡散シート（Ｄ）、集光拡散シート（Ｅ）、表面をレンチキュラーレンズ状に成形した拡散シート（Ｆ）のいずれかであることを特徴とする光線制御ユニット。
【請求項３】
シート面に垂直に光線を入射した場合に、前記シート面内の所定の方向に沿って拡散角度が周期的に変化する拡散シート（Ａ）と、前記拡散シートと共に用いられる複数の光学シートとを備え、前記光学シートが、プリズムシート（Ｂ）、集光拡散シート（Ｅ）のいずれかであることを特徴とする光線制御ユニット。
【請求項４】
シート面に垂直に光線を入射した場合に、前記シート面内の所定の方向に沿って拡散角度が周期的に変化する拡散シート（Ａ）と、第一のプリズムシートと、前記第一のプリズムシートのプリズム延在方向と直交するプリズム延在方向を有する第二のプリズムシートと、を備えたことを特徴とする光線制御ユニット。
【請求項５】
拡散集光シート（Ｅ）が、半球状に成形したレンズからなる凹凸構造を有することを特徴とする請求項２または請求項３に記載の光線制御ユニット。
【請求項６】
複数の光源と、前記光源上に配設された請求項１から請求項５のいずれかに記載の光線制御ユニットと、を備えたことを特徴とする光源ユニット。
【請求項７】
前記光源が線状光源であることを特徴とする請求項６に記載の光源ユニット。
【請求項８】
前記光源が点状光源であることを特徴とする請求項６に記載の光源ユニット。
【請求項９】
前記拡散シート（Ａ）の拡散角度分布の周期と、前記拡散シート（Ａ）の入光面における照度分布の周期とが略等しいことを特徴とする請求項６から請求項８のいずれかに記載の光源ユニット。
【請求項１０】
前記拡散シート（Ａ）の下方に配置され、内部に拡散剤を含有する拡散板と、前記光源の下方に配置された反射シートと、を具備することを特徴とする請求項６から請求項９のいずれかに記載の光源ユニット。
【請求項１１】
前記拡散シート（Ａ）上方に配置された反射型偏光フィルムを具備することを特徴とする請求項６から請求項１０のいずれかに記載の光源ユニット。
【請求項１２】
前記拡散シート（Ａ）上方に配置され、内部に拡散剤を含有する拡散板を具備することを特徴とする請求項６から請求項１１のいずれかに記載の光源ユニット。
【請求項１３】
液晶表示パネルと、前記液晶表示パネルに光を供給する請求項６から請求項１２のいずれかに記載の光源ユニットと、を備えたことを特徴とする液晶表示装置。
【発明の詳細な説明】
【技術分野】
【０００１】
本発明は、液晶表示装置等の後面照明（back  lighting）に用いられる光線制御ユニットに関する。
【背景技術】
【０００２】
現在、液晶表示装置は、携帯電話、ＰＤＡ端末、デジタルカメラ、テレビ、パーソナルコンピュータ用ディスプレイ、ノートパソコンなどの幅広い分野で利用されている。液晶表示装置においては、例えば、液晶表示パネルの背後に光源ユニットを配置し、この光源ユニットからの光を液晶表示パネルに供給することにより、画像を表示する。一般に、直下型光源ユニット等の光源ユニットを備えた液晶表示装置では、光源近傍とそれ以外とでは光強度が異なるため、輝度ムラが発生しやすい。
【０００３】
このような輝度ムラを軽減させることのできる拡散シートとして、光の拡散度合が異なる複数の拡散層が分布形成されていることを特徴とする拡散シートが存在する（特許文献１）。この拡散シートは、入射光を拡散出射することで輝度ムラを低減する機能を有し、例えば、少なくとも光源の直上位置にあたる表面部位に第一の拡散層を、また、光源の非直上位置にあたる表面部位に第二の拡散層を分布形成する。その結果、光源近傍の部位では大きな拡散度合で光が出射するため輝度が低減され、光源から離れた部位では小さな拡散度合で光が出射するため輝度の低下が抑制される。
【先行技術文献】
【特許文献】
【０００４】
【特許文献１】特開２００７−３８５２号公報
【発明の概要】
【発明が解決しようとする課題】
【０００５】
しかしながら、特許文献１に記載の拡散シートを用いた光源ユニットでは、光源（例えば冷陰極管：ＣＣＦＬ）の数を減らした場合や、光源ユニットの厚さを減らした場合、十分に輝度ムラを抑制できないという問題がある。
【０００６】
これは、光源の数を減らした場合、光源と光源の間の距離が長くなり、また、光源ユニットの厚さを減らした場合、光源と光学部材との距離が短くなるため、どちらの場合も「光源近傍領域」と「光源と光源の間領域」間の光強度差が拡大し、輝度ムラが発生しやすくなることによるものである。
【０００７】
本発明は、上述した問題に鑑みてなされたものであり、面内に発生する輝度ムラを抑制できる光線制御ユニットを提供することを目的とする。
【課題を解決するための手段】
【０００８】
本発明の光線制御ユニットは、シート面に垂直に光線を入射した場合に、前記シート面内の所定の方向に沿って拡散角度が周期的に変化する拡散シート（Ａ）と、前記拡散シートと共に用いられる複数の光学シートとを備え、前記光学シートのシート面内の拡散角度が全面に渡って略一定であることを特徴とする。
【０００９】
本発明の光線制御ユニットは、シート面に垂直に光線を入射した場合に、前記シート面内の所定の方向に沿って拡散角度が周期的に変化する拡散シート（Ａ）と、前記拡散シートと共に用いられる複数の光学シートとを備え、前記光学シートが、プリズムシート（Ｂ）、表面に複数のビーズをコートした拡散シート（Ｃ）、表面にランダムな凹凸形状を成形した拡散シート（Ｄ）、集光拡散シート（Ｅ）、表面をレンチキュラーレンズ状に成形した拡散シート（Ｆ）のいずれかであることを特徴とする。
【００１０】
本発明の光線制御ユニットは、シート面に垂直に光線を入射した場合に、前記シート面内の所定の方向に沿って拡散角度が周期的に変化する拡散シート（Ａ）と、前記拡散シートと共に用いられる複数の光学シートとを備え、前記光学シートが、プリズムシート（Ｂ）、集光拡散シート（Ｅ）のいずれかであることを特徴とする。
【００１１】
本発明の光線制御ユニットは、シート面に垂直に光線を入射した場合に、前記シート面内の所定の方向に沿って拡散角度が周期的に変化する拡散シート（Ａ）と、第一のプリズムシートと、前記第一のプリズムシートのプリズム延在方向と直交するプリズム延在方向を有する第二のプリズムシートと、を備えることを特徴とする。
【００１２】
本発明の光線制御ユニットは、拡散集光シート（Ｅ）が、半球状に成形したレンズからなる凹凸構造を有することが好ましい。
【００１３】
本発明の光源ユニットは、複数の光源と、前記光源上に配設された上記光線制御ユニットと、を備えたことを特徴とする。
【００１４】
本発明の光源ユニットは、光源が線状光源であることが好ましい。
【００１５】
本発明の光源ユニットは、光源が点状光源であることが好ましい。
【００１６】
本発明の光源ユニットは、前記拡散シート（Ａ）の拡散角度分布の周期と、前記拡散シート（Ａ）の入光面における照度分布の周期とが略等しいことが好ましい。
【００１７】
本発明の光源ユニットは、前記拡散シート（Ａ）の下方に配置され、内部に拡散剤を含有する拡散板と、前記光源の下方に配置された反射シートと、を具備することを特徴とする。
【００１８】
本発明の光源ユニットは、前記拡散シート（Ａ）上方に配置された反射型偏光フィルムを具備することを特徴とする。
【００１９】
本発明の光源ユニットは、前記拡散シート（Ａ）上方に配置され、内部に拡散剤を含有する拡散板を具備することを特徴とする。
【００２０】
本発明の液晶表示装置は、液晶表示パネルと、前記液晶表示パネルに光を供給する上記光源ユニットと、を備えたことを特徴とする。
【発明の効果】
【００２１】
本発明によれば、シート面に垂直に光線を入射した場合に、前記シート面内の所定の方向に沿って拡散角度が周期的に変化する拡散シート（Ａ）と、前記拡散シートと共に用いられる複数の光学シートとを備え、前記光学シートが、シート面内の拡散角度が全面に渡って略一定である光学シート、例えばプリズムシート（Ｂ）、表面に複数のビーズをコートした拡散シート（Ｃ）、表面にランダムな凹凸形状を成形した拡散シート（Ｄ）、集光拡散シート（Ｅ）、表面をレンチキュラーレンズ状に成形した拡散シート（Ｆ）のいずれかを用いた構成を有するため、面内の輝度ムラを抑制可能な光線制御ユニットを提供することができる。
【図面の簡単な説明】
【００２２】
【図１】拡散シート（Ａ）の断面形状を用いて拡散角度について説明した概略図である。
【図２】（ａ），（ｂ）は、干渉露光によるスペックルパターンを用いて形成された３次元構造の例を示す図である。
【図３】（ａ），（ｂ）は、本発明の実施の形態に係る光源ユニットの一部を示す図である。
【図４】複数の光源による周期的な光量分布に合わせた、拡散シート（Ａ）の拡散角度制御を説明するための図である。
【図５】本発明の実施の形態に係る光線制御ユニットの例の一部を示す図である。
【図６】本発明の実施の形態に係る光線制御ユニットの例の一部を示す図である。
【図７】本発明の実施の形態に係る光線制御ユニットの例の一部を示す図である。
【図８】本発明の実施の形態に係る光線制御ユニットの例の一部を示す図である。
【図９】本発明の実施の形態に係る光線制御ユニットの例を示す図である。
【図１０】本発明の実施の形態に係る光線制御ユニットの例を示す図である。
【図１１】本発明の実施の形態に係る光線制御ユニットの例を示す図である。
【図１２】本発明の実施の形態に係る光線制御ユニットの例を示す図である。
【図１３】本発明の実施の形態に係る光線制御ユニットの例を示す図である。
【図１４】本発明の実施の形態に係る光線制御ユニットを用いた液晶表示装置を示す図である。
【図１５】本発明の実施例１に係る光線制御ユニットの例を示す図である。
【図１６】本発明の実施例２に係る光線制御ユニットの例を示す図である。
【図１７】本発明に対する比較例１に係る光線制御ユニットの例を示す図である。
【図１８】本発明の実施例３に係る光線制御ユニットの例を示す図である。
【図１９】本発明の実施例４に係る光線制御ユニットの例を示す図である。
【図２０】本発明の実施例５に係る光線制御ユニットの例を示す図である。
【図２１】本発明の実施例６に係る光線制御ユニットの例を示す図である。
【図２２】本発明に対する比較例２に係る光線制御ユニットの例を示す図である。
【図２３】本発明の実施例１に用いた拡散シート（Ａ）の、シート面内の所定の方向における相対位置に対する拡散角度を示した図である。
【図２４】図２３における、シート面内の所定の方向を説明した図である。
【図２５】本発明の実施例３に用いた拡散シート（Ａ）の、シート面内の所定の方向における相対位置に対する拡散角度を示した図である。
【図２６】図２５および図２７における、シート面内の所定の方向を説明した図である。
【図２７】本発明の実施例４に用いた拡散シート（Ａ）の、シート面内の所定の方向における相対位置に対する拡散角度を示した図である。
【図２８】マイクロレンズフィルムの一例を示した図である。
【図２９】Bright  View  Technologies（株）製のMicrolens  Brightness  Filmの一例を示した図である。
【図３０】本発明の実施例１、実施例２、および本発明に対する比較例１における、ＬＥＤの周期方向を表した図である。
【図３１】本発明の実施例７〜９における、ＬＥＤの配置を表わした図である。
【図３２】本発明の実施例７に係る光線制御ユニットの例を示す図である。
【図３３】本発明の実施例７に用いた拡散シート（Ａ）の、シート面内のＸ方向における相対位置に対する拡散角度を示した図である。
【図３４】本発明の実施例８に係る光線制御ユニットの例を示す図である。
【図３５】本発明の実施例９に係る光線制御ユニットの例を示す図である。
【図３６】本発明の比較例３に係る光線制御ユニットの例を示す図である。
【発明を実施するための形態】
【００２３】
以下、本発明の実施の形態について、添付図面を参照して詳細に説明する。
本発明で用いられる、シート面内の所定の方向に沿って拡散角度が周期的に変化する拡散シート（Ａ）は、シート面に垂直に光線を入射した場合の出射光の拡散角度が前記シート面内の所定の方向に沿って周期的に変化する拡散シートである。
【００２４】
シート面に垂直に光線を入射した場合の出射光の拡散角度は、特に制限は無いが、拡散角度の差に対し光の拡散性能に差がよく現れるという観点および製造コストの観点から０．１°以上１２０°以下が好ましい。ここで、本発明における拡散角度とは、輝度がピーク輝度の半分に減衰する角（半値角）の２倍の角度（ＦＷＨＭ：Full  Width  Half  Maximum）をいう。この拡散角度は、例えば、Photon社製のGoniometric  Radiometers  Real-Time  Far-Field  Angular  Profiles  Model  LD8900（以下ＬＤ８９００）で拡散シート凹凸面の法線方向から、凹凸面側に入射した光に対する透過光強度の角度分布を測定することによって求めることができる。ここで、拡散シート凹凸面の法線方向とは、図１の矢印ａで示した方向を指すこととする。
【００２５】
本発明に用いられる拡散シート（Ａ）は、測定方向によらず、ほぼ同じ拡散角度が得られる等方拡散シートであっても、測定方向によって拡散角度が異なる異方拡散シートであっても、等方拡散となる部分と異方拡散となる部分が共存するシートであっても良い。なお、異方拡散シートを用いる場合の拡散角度は、拡散シート面内の少なくとも一つの方向で測定した拡散角度を指すものとする。
【００２６】
干渉露光によるスペックルパターンを用いて形成される微細な３次元構造は、機械加工では困難であった２０μｍ以下の微細な凹凸構造の形成に適している。特に、非平面スペックルを用いて凹凸を形成する方法は、拡散シート上の領域に応じて、拡散角度を変えるような場合に、適した製法である。また、マイクロレンズのような等方的な形状や、レンチキュラーレンズのような異方的な形状も容易に形成することができる。この凹凸構造は、モアレ抑制などの観点から、高さ及びピッチが不規則であることが好ましい。
【００２７】
表面構造の凹凸密度は、例えば走査型電子顕微鏡で観察した拡散シート断面形状のピッチやアスペクト比、表面粗さ等から判断できる。また、レーザー共焦点顕微鏡による拡散シート表面の観察像からも、前記ピッチ、アスペクト比や、表面粗さ等を読み取ることができる。図１は、本発明に用いられる拡散シート（Ａ）の断面形状の概略図を示したものである。個々の凹凸構造の断面における端部から端部までの水平距離ｗを凹部又は凸部のピッチとし、前記水平距離ｗの範囲における最大高さｌを凹部又は凸部の高さとする。アスペクト比は、高さｌを幅ｗで割ることによって求めることができる。１試料につき最低１５個の凹凸を抽出し、それぞれの水平距離ｗ、高さｌ、アスペクト比の平均値を平均ピッチ、平均高さ、平均アスペクト比とする。
【００２８】
株式会社キーエンス製の超深度カラー３Ｄ形状測定顕微鏡（ＶＫ−９５００）を用いて測定した干渉露光によるスペックルパターンを用いて形成された３次元構造の例を図２（ａ），（ｂ）に示す。図２（ａ）の構造を表面に持つ拡散シートは平均ピッチ６．０μｍ、平均高さ１．２μｍであり拡散角度２０度である。図２（ｂ）の構造を表面に持つ拡散シートは平均ピッチ６．０μｍ、平均高さ２．０μｍであり拡散角度４０度である。
【００２９】
この干渉露光によるスペックルパターンを用いて形成された３次元構造を表面に有し、面内において拡散角度が周期的に変化するような拡散シートは、具体的には次のようにして製造することができる。まず、予め干渉露光により、レーザー光をレンズやマスクを介して感光性材料やフォトレジストに照射し、拡散角度が位置によって変化するようにスペックルパターンを形成させたサブマスタ型を作製する。レーザー照射システムを構成する部材間の距離やサイズを変えスペックルパターンの寸法、形状及び方向を調節することにより、拡散角度の範囲を制御し、異なる拡散角度をもつ凹凸構造を記録することができる。
【００３０】
一般に、拡散角度の範囲は、スペックルの平均サイズ及び形状に依存する。スペックルが小さければ角度範囲が広い。また、前記凹凸の単位構造は等方性のものに限らず、異方性のものを形成することもでき、両者の複合された凹凸構造とすることもできる。スペックルが横方向の長円形であれば、角度分布の形は縦方向の長円形となる。このように拡散角度が位置によって変化するようなサブマスタ型を作製する。このサブマスタ型に電鋳などの方法で金属を被着してこの金属にスペックルパターンを転写してマスタ型を作製する。光透過性樹脂層に、上記マスタ型を用いて紫外線による賦形を行って光透過性樹脂層の光取り出し面にスペックルパターンを転写する。拡散角度を位置によって変えたこの拡散シートの詳細な製造方法については、特表２００３−５２５４７２号公報に開示されている。この内容は、全てここに含めておく。また、拡散角度は凹凸構造のピッチ、高さ、アスペクト比を変えて制御しても構わない。
【００３１】
また、本発明に用いられる拡散シート（Ａ）を拡散シート表面の凹凸構造によって実現する場合、凹凸構造はシートの入光面、出光面どちらにあっても、あるいは両方にあっても良いが、輝度向上、及び輝度ムラ軽減の観点から、主たる凹凸構造は出光面にあることが好ましく、入射面側が平滑面となっていることがより好ましい。なお、一般に拡散シートを積層する場合等に、傷つき防止のため、平滑性を失わない範囲で、入射面に極微量のビーズを塗布する場合がある。このような場合も平滑面に含まれるものとする。
【００３２】
本発明に用いられる光学シートは、シート面内の拡散角度が全面に渡って略一定であることを特徴とし、主にバックライト面内の輝度ムラを低減させる目的で用いられる。具体的には、プリズムシート（Ｂ）、表面に複数のビーズをコートした拡散シート（Ｃ）、表面にランダムな凹凸形状を成形した拡散シート（Ｄ）、集光拡散シート（Ｅ）、及び表面をレンチキュラーレンズ状に成形した拡散シート（Ｆ）が好ましいものとして例示される。
【００３３】
本発明で用いられるプリズムシート（Ｂ）は、例えばＰＥＴフィルムやポリカーボネートフィルム、ポリスチレンなどの基材表面にアレイ状のプリズムパターンを施した光学シートを指し、主にバックライトの光を集光させ輝度を向上させる目的で用いられる。厳密にプリズム形状でなくてもよく、頂部にＲ形状を施したものや、ウェーブフィルム状または下向きプリズム状であってもよい。例えば、ビキュイティＢＥＦIII（商品名、３Ｍ（株）製）、ビキュイティＢＥＦII（商品名、３Ｍ（株）製）、ビキュイティＲＢＥＦ（商品名、３Ｍ（株）製）、ＬＥＳ−Ｔ２Ｆ（商品名、ＬＧケミカル（株）製）、ウェーブフィルムＷ８１８（商品名、３Ｍ（株）製）、ダイヤアートＣ（商品名、三菱レイヨン（株）製）等が挙げられる。プリズム層の材料としてはアクリル系フォトポリマーやポリカーボネートなどがよく用いられるが、これに限定されない。
【００３４】
本発明で用いられる表面に複数のビーズをコートした拡散シート（Ｃ）は、例えばＰＥＴフィルムやポリカーボネートフィルム、ポリスチレンなどの基材表面に光拡散性を有するビーズをウェットコートした光学シートを指し、主にバックライト面内の輝度ムラを低減させる目的で用いられる。光拡散性ビーズとしては、例えば、アクリルビーズ、シリカビーズ、硫酸バリウム、酸化チタン、珪酸カルシウムなどが用いられる。例えば、ＴＤＦ−１２７（商品名、東レセーハン（株）製）、オパルスＢＳ−０８０（商品名、恵和（株）製）、Ｄ１４１（商品名、ツジデン（株）製）、等が挙げられる。
【００３５】
本発明で用いられる、表面にランダムな凹凸形状を成形した拡散シート（Ｄ）は、例えばＰＥＴフィルムやポリカーボネートフィルム、ポリスチレンなどの基材表面にランダムな凹凸形状を形成したもので、主にバックライト面内の輝度ムラを低減させる目的で用いられる。詳細な製造方法は特開２００２−２０２５０８号公報または特開２００２−１４８４１６号公報にも記載されているが、例えばポリカーボネートなどの非結晶性樹脂のシート形成時にロール圧着を行い、その際使用するロールの表面をランダムな凹凸にすることにより得られる。このような拡散シートとしては、例えば、オパルスＰＣ−ＥＳ（商品名、恵和（株）製）、等が挙げられる。
【００３６】
また、特表２００３−５２５４７２号公報に記載されている方法で形成された拡散シートを用いてもよい。この拡散シートは、まず、予め干渉露光により、レーザー光をレンズやマスクを介して感光性材料やフォトレジストに照射し、拡散角度が位置によって変化するようにスペックルパターンを形成させたサブマスタ型を作製する。このサブマスタ型に電鋳などの方法で金属を被着してこの金属にスペックルパターンを転写してマスタ型を作製する。光透過性樹脂層に、上記マスタ型を用いて紫外線による賦形を行って光透過性樹脂層の光取り出し面にスペックルパターンを転写する。このような拡散シートとしては、例えば、ＬＳＤ（Light  Shaping  Diffuser）（Luminit（株）製）が挙げられる。
【００３７】
本発明で用いられる、集光拡散シート（Ｅ）は、例えばＰＥＴフィルムやポリカーボネートフィルム、ポリスチレンなどの基材表面に図２８に示すようなレンズパターンを施した光学シートを指し、主にバックライトの光を拡散させ均一化させる効果とともに、拡散された光を集光するという複合的な目的で用いられる。アレイ状のレンズは、例えば、アクリル系樹脂の球状ビーズをシート上に塗布することによって得ることができる。また、他には紫外線硬化樹脂による微細な凹凸構造をポリエステル系樹脂、トリアセチルセルロース、或いはポリカーボネート等のシート上に転写することによって得ることもできる。この他に、機械加工やエッチング法によっても製造することができる。厳密な円状レンズでなくてもよく、楕円状のものや、円弧と直線が混在した形状であってもよい。このようなシートとしては、例えば、ＰＴＲ７３３（商品名、シンファインターテック（株）製）、ＵＴＥ−２１（商品名、未来ナノテック（株）製）、ＭＬ１３ＭＫ（商品名、SKC  Haas（株）製）、等が挙げられる。
【００３８】
本発明で用いられる、表面をレンチキュラーレンズ状に成形した拡散シート（Ｆ）は、例えばＰＥＴフィルムやポリカーボネートフィルム、ポリスチレンなどの基材表面にアレイ状のレンチキュラーレンズパターンを施した光学シートを指し、主にバックライトの光を拡散させ、同時に輝度を向上させる複合的な目的で用いられる。レンチキュラーレンズの断面は厳密な円状レンズでなくてもよく、楕円状のものや、円弧と直線が混在した形状であってもよい。このようなシートとしては、例えば、デラグラスＤＬ/ＤＨシリーズ（旭化成ケミカルズ（株）製）、ゼオノア拡散板（日本ゼオン（株）製）、図２９で示すようなMicrolens  Brightness  Film（Bright  View  Technologies（株）製）等が挙げられる。
【００３９】
次に、上述した本発明に係る光源ユニットについて説明する。
図３（ａ），（ｂ）は、本発明の実施の形態に係る光源ユニットの一部を示す図である。光源ユニットは光源と光線制御ユニットを含み、本発明の光線制御ユニットは、シート面に垂直に光線を入射した場合に、前記シート面内の所定の方向に沿って拡散角度が周期的に変化する拡散シート（Ａ）３を必須とする。光源としては、冷陰極管（ＣＣＦＬ）１などの線光源や、ＬＥＤ（発光ダイオード）２、レーザーなどの点光源を用いることができる。
【００４０】
また、上述の光源ユニットにおいては、拡散シート（Ａ）３の拡散角度分布の周期と、前記拡散シート（Ａ）３の入光面における照度分布の周期とを略等しくすることが、光源ユニットにおける周期的な光量分布に合わせた拡散制御が可能になるため、シート面内の輝度ムラ抑制の観点で好ましい。図４にその一例を示す。照度分布の周期ｂと拡散角度分布の周期ｃとが等しくなっている。輝度ムラ抑制の観点から、照度分布のピーク位置と拡散角度分布のピーク位置を、あるいは照度分布のピーク位置と拡散角度分布のボトム位置を合わせることがより好ましい。
【００４１】
拡散シート（Ａ）３の入光面における照度分布は、例えばELDIM社のEZContrastXL88などによって測定することができる。具体的には、拡散シート（Ａ）３が設けられる光源ユニットにおいて、前記拡散シート（Ａ）３を除き、拡散シートの入光面が位置する箇所に装置の焦点を定めて全方位輝度分布を測定し、その結果から積算光束量（Integrated  Intensity）を得る、ということを面内測定対象範囲において繰り返すことで測定する。
【００４２】
次に、上述した本発明に係る拡散シート（Ａ）３を用いた光源ユニットの構成についてさらに説明する。
光源１または光源２の下方には、光を反射させるための反射シート４が使用されることが、光源からの光の効率的利用の観点で好ましい。
【００４３】
反射シート４としては、光を反射させることのできるものであれば、様々なものを用いることができる。例えば、ポリエステル、ポリカーボネートなどの樹脂を発泡させて内部に微細な気泡を含むシート状としたもの、２成分以上の樹脂を混合してシート状としたもの、屈折率の異なる樹脂層を積層したシート、などを用いることができる。また、前記反射シート４は、表面に凹凸形状が形成されていても良い。これらには、必要に応じて、表面に無機微粒子などを添加したものを用いることができる。
【００４４】
光源ユニットは、図５に示すように、拡散シート（Ａ）３の下方に拡散板５を設けても良く、あるいは図６に示すように、拡散シート（Ａ）３の上方に拡散板５を設けても良い。
【００４５】
拡散板５としては、拡散剤を内部に含有し光を拡散させることのできるものであれば、様々なものを用いることができる。例えばポリスチレン、アクリル系樹脂、ポリカーボネート、シクロオレフィンポリマーなどに、光を拡散させる効果がある有機ポリマーや無機微粒子を添加したものを用いることができる。これらの拡散板５は、光を拡散させ、下部光源の光を均一化させる効果がある。
【００４６】
さらに、光源ユニットは、輝度向上および輝度ムラ低減の観点から反射型偏光フィルム６を設けることが好ましい。反射型偏光フィルムの例としてはＤＢＥＦ−Ｄ４００（商品名、３Ｍ（株）製）が挙げられる。図７および図８にその配設例を示す。光学シートの配設順序はこれに限定されないが、図８に示すように反射シート４、光源１（２）、拡散板５、拡散シート（Ａ）３、反射型偏光フィルム６の順に配設することが輝度ムラ低減の観点から好ましい。また、図７に示すように、反射シート４、光源１（２）、拡散シート（Ａ）３、反射型偏光フィルム６の順に配設しても良い。
【００４７】
次に、本発明の光線制御ユニットについて図９〜図１３を用いて説明する。
【００４８】
本発明の光線制御ユニットにおいては、拡散シート（Ａ）３と複数のシート面内の拡散角度が全面に渡って略一定である光学シートを備えることが好ましい。輝度ムラ抑制という観点から、光学シートは単数ではなく複数用いる事が望ましい。これは、光学シート間の空気層が輝度ムラ抑制に寄与している事が理由に挙げられる。
【００４９】
図９に拡散シート（Ａ）３と、２枚のプリズムシート（Ｂ）７，８を用いた配設の一例を示す。拡散シート（Ａ）３および２枚のプリズムシート（Ｂ）７，８の配設順序はこれに限定されず、またプリズムシート（Ｂ）は２枚以上あってもよい。この構成にした場合、拡散シート（Ａ）３から出光した光が複数枚のプリズムシート（Ｂ）によって何度もリサイクルされ、結果的にシート面内の輝度ムラを抑制することができる。全方位の光をリサイクルし、輝度ムラ低減効果をより高めるという観点から、第一のプリズムシート（Ｂ）７のプリズム延在方向と第二のプリズムシート（Ｂ）８のプリズム延在方向が直交することが好ましい。
【００５０】
図１０に拡散シート（Ａ）３と、２枚の、表面に複数のビーズをコートした拡散シート（Ｃ）９，１０を用いた配設の一例を示す。拡散シート（Ａ）３および２枚の拡散シート（Ｃ）９，１０の配設順序はこれに限定されず、また拡散シート（Ｃ）は２枚以上あってもよい。この構成にした場合、拡散シート（Ａ）３から出光した光が複数枚の拡散シート（Ｃ）によって再拡散され、結果的にシート面内の輝度ムラを抑制することができる。
【００５１】
図１１に拡散シート（Ａ）３と、２枚の、表面にランダムな凹凸形状を成形した拡散シート（Ｄ）１１，１２を用いた配設の一例を示す。拡散シート（Ａ）３および２枚の拡散シート（Ｄ）１１，１２の配設順序はこれに限定されず、また拡散シート（Ｄ）は２枚以上あってもよい。この構成にした場合、拡散シート（Ａ）３から出光した光が複数枚の拡散シート（Ｄ）によって再拡散され、結果的にシート面内の輝度ムラを抑制することができる。
【００５２】
図１２に拡散シート（Ａ）３と、２枚の、集光拡散シート（Ｅ）１３，１４を用いた配設の一例を示す。拡散シート（Ａ）３および２枚の集光拡散シート（Ｅ）１３，１４の配設順序はこれに限定されず、また集光拡散シート（Ｅ）１３，１４は２枚以上あってもよい。この配設にした場合、拡散シート（Ａ）３から出光した光が複数枚の集光拡散シート（Ｅ）１３，１４によって再拡散するのと同時に、光が効率的にリサイクルされ、結果的にシート面内の輝度ムラを抑制することができる。特に、光のリサイクル効率が高く輝度ムラ低減能力が高いという観点から、拡散集光シート（Ｅ）１３，１４が、半球状に成形したレンズからなる凹凸構造を有することが好ましい。
【００５３】
図１３に拡散シート（Ａ）３と、２枚の、表面をレンチキュラーレンズ状に成形した拡散シート（Ｆ）１５,１６を用いた配設の一例を示す。拡散シート（Ａ）３および２枚の拡散シート（Ｆ）１５，１６の配設順序はこれに限定されず、また拡散シート（Ｆ）１５，１６は２枚以上あってもよい。この配設にした場合、拡散シート（Ａ）３から出光した光が複数枚の拡散シート（Ｆ）１５，１６によって再拡散するのと同時に、光が効率的にリサイクルされ、結果的にシート面内の輝度ムラを抑制することができる。
【００５４】
これらの中でも、図９および図１２に示した配設が輝度ムラ抑制という観点でもっとも好ましい。これは、光のリサイクル効率が特に良いためである。
【００５５】
本発明において、輝度ムラ抑制に対し好ましい配設例を以下に記載する。バックライト下方から上方の順に左から記載する。
反射シート/ＣＣＦＬ光源/拡散板/（Ａ）/（Ｂ）/（Ｂ）/反射型偏光フィルム
反射シート/ＣＣＦＬ光源/拡散板/（Ａ）/（Ｃ）/（Ｂ）/反射型偏光フィルム
反射シート/ＬＥＤ光源/拡散板/（Ａ）/（Ｃ）/（Ｂ）/反射型偏光フィルム
反射シート/ＣＣＦＬ光源/拡散板/（Ａ）/（Ｄ）/（Ｂ）/反射型偏光フィルム
反射シート/ＬＥＤ光源/拡散板/（Ａ）/（Ｄ）/（Ｂ）/反射型偏光フィルム
反射シート/ＣＣＦＬ光源/拡散板/（Ａ）/（Ｅ）/（Ｂ）/反射型偏光フィルム
反射シート/ＬＥＤ光源/拡散板/（Ａ）/（Ｅ）/（Ｂ）/反射型偏光フィルム
反射シート/ＣＣＦＬ光源/拡散板/（Ａ）/（Ｃ）/（Ｃ）/反射型偏光フィルム
反射シート/ＬＥＤ光源/拡散板/（Ａ）/（Ｃ）/（Ｃ）/（Ｃ）/反射型偏光フィルム
反射シート/ＣＣＦＬ光源/拡散板/（Ａ）/（Ｄ）/（Ｃ）/反射型偏光フィルム
反射シート/ＬＥＤ光源/拡散板/（Ａ）/（Ｄ）/（Ｃ）/反射型偏光フィルム
反射シート/ＣＣＦＬ光源/拡散板/（Ａ）/（Ｄ）/（Ｄ）/反射型偏光フィルム
反射シート/ＬＥＤ光源/拡散板/（Ａ）/（Ｄ）/（Ｄ）/反射型偏光フィルム
反射シート/ＬＥＤ光源/拡散板/（Ａ）/（Ｃ）/（Ｅ）/反射型偏光フィルム
反射シート/ＬＥＤ光源/拡散板/（Ａ）/（Ｄ）/（Ｅ）/反射型偏光フィルム
反射シート/ＣＣＦＬ光源/拡散板/（Ａ）/（Ｅ）/（Ｅ）/（Ｅ）/反射型偏光フィルム
反射シート/ＬＥＤ光源/拡散板/（Ａ）/（Ｅ）/（Ｅ）/反射型偏光フィルム
反射シート/ＣＣＦＬ光源/（Ｆ）/（Ａ）/（Ｂ）/（Ｂ）/反射型偏光フィルム
反射シート/ＣＣＦＬ光源/拡散板/（Ａ）/（Ｂ）/（Ｂ）/（Ｃ）
反射シート/ＣＣＦＬ光源/（Ｆ）/（Ａ）/（Ｂ）/（Ｂ）/（Ｃ）
反射シート/ＣＣＦＬ光源/拡散板/（Ａ）/（Ｂ）/（Ｂ）/（Ｄ）
反射シート/ＣＣＦＬ光源/（Ｆ）/（Ａ）/（Ｂ）/（Ｂ）/（Ｄ）
【００５６】
拡散シート（Ａ）を（Ａ）、プリズムシート（Ｂ）を（Ｂ）、表面に複数のビーズをコートした拡散シート（Ｃ）を（Ｃ）、表面にランダムな凹凸形状を成形した拡散シート（Ｄ）を（Ｄ）、集光拡散シート（Ｅ）を（Ｅ）、表面をレンチキュラーレンズ状に成形した拡散シート（Ｆ）を（Ｆ）と略して記載した。上記配設は本発明において輝度ムラ抑制の観点から好ましい例であって、これに限定されない。
【００５７】
これらの光源ユニットは、本発明の光線制御ユニットに液晶表示パネルを配設して、液晶表示パネルに光を供給することで、液晶表示装置としても用いることができる。例えば、図１４に示すように、図１０に示す構成上に液晶表示パネル１７を配設して、液晶表示パネル１７に光を供給することで、液晶表示装置としても用いることができる。
【００５８】
次に、本発明の効果を明確にするために行った実施例について説明するが、本発明はこれらに限定されるものではない。
【００５９】
光学シートとして実施例で記載がないものについて、すなわち、反射シート、反射型偏光フィルムについては、ソニー社製のＢＲＡＶＩＡ  ＪＥ１  ３２インチに使用されている反射シート、反射型偏光フィルムを用いた。拡散板５は厚み１．５ｍｍのデラグラスＤＬ（旭化成ケミカルズ社製、商品名(ＤＳＦ６０)）を用いた。また、光源ユニットの光源として、ＢＲＡＶＩＡ  ＫＤＬ-３２ＪＥ１のＣＣＦＬ光源と、ＣＲＥＥ社製の３．５ｍｍ角、高さ２．０ｍｍの白色ＬＥＤ光源を用いた。プリズムシート（Ｂ）は厚み２８０μｍのビキュイティＢＥＦIII（商品名、３Ｍ（株）製）を用いた。表面に複数のビーズをコートした拡散シート（Ｃ）は厚み１５０μｍのＴＤＦ−１２７（商品名、東レセーハン（株）製）または厚み１４５μｍのオパルスＰＢＳ−０７１（商品名、恵和（株）製）を用いた。集光拡散シート（Ｅ）は厚み２４０μｍのＰＴＲ７３３（商品名、シンファインターテック（株）製）を用いた。表面をレンチキュラーレンズ状に成形した拡散シート（Ｆ）としては、厚み１．５ｍｍのデラグラスＤＬ（旭化成ケミカルズ社製、商品名(ＤＬ５１０)）を用いた。
【００６０】
（実施例１）
図１５に示すように、光源にＬＥＤ２を用い、光源下方に反射シート４を、光源上方に拡散板（ＤＳＦ６０）５、拡散シート（Ａ）３、第１の拡散シート（Ｃ）（ＴＤＦ−１２７）９、第２の拡散シート（Ｃ）（ＴＤＦ−１２７）９、反射型偏光フィルム６をこの順で配置し、実施例１の光源ユニットを構成した。拡散シート（Ａ）については、厚さ２５０μｍのＰＥＴ基材上の出光面に、周期が４２．４ｍｍであり、面内の拡散角度分布が最大５３°から最小７°の間でおおよそ図２３に示すように変化させたものを、拡散角度５３°となる部分を光源の直上に配置するようにして用いた。尚、図２３は、図２４の直線１８に示すような、所定の方向における相対位置を横軸にとり、該相対位置での拡散角度（ＬＤ８９００により測定）を縦軸にとった拡散角度分布図を表す。
【００６１】
輝度ムラは、コニカミノルタセンシング株式会社製の２次元色彩輝度計（ＣＡ−２０００）を使用し、光線制御ユニットから約５０ｃｍ離して測定した。輝度ムラは、ｘ軸方向及びｙ軸方向の２方向について算出した値の平均値とした。まず、ｘ軸方向の輝度ムラを求めた。これは、ｙ軸（１５０ｍｍ）方向の平均輝度値を求め、ｘ軸方向について、各々の点の輝度値を各々の点から±１５ｍｍ分の輝度平均値で割り返した値の標準偏差として求めた（これを「ＸＳＤ」とする）。次に、ｙ軸方向の輝度ムラを求めた。これは、ｘ軸（１５０ｍｍ）方向の平均輝度値を求め、ｙ軸方向について、各々の点の輝度値を各々の点から±１５ｍｍ分の輝度平均値で割り返した値の標準偏差として求めた（これを「ＹＳＤ」とする）。最後に、ＸＳＤとＹＳＤを平均した値を算出してＳ．Ｄ．値とし、光線制御ユニットの輝度ムラとした。
【００６２】
ここで、反射シートから拡散板までの距離ｚを２６ｍｍ、ＬＥＤの周期を４２．４ｍｍ（図３０の直線２０の方向）とし、実施例１の光源ユニットにおける輝度ムラを上記の方法で測定し以下のように判定した。その結果を下記表１に示す。
○：  Ｓ．Ｄ．値が０．００４未満
×：  Ｓ．Ｄ．値が０．００４以上
【００６３】
（実施例２）
図１６に示すように、光源にＬＥＤ２を用い、光源下方に反射シート４を、光源上方に拡散板（ＤＳＦ６０）５、拡散シート（Ａ）３、第１の集光拡散シート（Ｅ）（ＰＴＲ−７３３）１３、第２の集光拡散シート（Ｅ）（ＰＴＲ−７３３）１３、反射型偏光フィルム６をこの順で配置し、実施例２の光源ユニットを構成した。拡散シート（Ａ）３については、実施例１と同一のものを用いた。なお、輝度ムラは実施例１と同様の方法で測定した。
【００６４】
ここで、反射シートから拡散板までの距離ｚを２６ｍｍ、ＬＥＤの周期を４２．４ｍｍ（図３０の直線２０の方向）とし、実施例２の光源ユニットにおける輝度ムラを上記の方法で測定し、実施例１と同様の方法で判定した。その結果を表１に併記する。
【００６５】
（比較例１）
図１７に示すように、光源にＬＥＤ２を用い、光源下方に反射シート４を、光源上方に拡散板（ＤＳＦ６０）５、第１の拡散シート（Ｃ）（ＴＤＦ−１２７）９、第２の拡散シート（Ｃ）（ＴＤＦ−１２７）９、反射型偏光フィルム６をこの順で配置し、比較例１の光源ユニットを構成した。なお、輝度ムラは、実施例１と同様の方法で測定した。
【００６６】
ここで、反射シートから拡散板までの距離ｚを２６ｍｍ、ＬＥＤの周期を４２．４ｍｍ（図３０の直線２０の方向）とし、比較例１の光源ユニットにおける輝度ムラを実施例１と同様の方法で測定した。その結果を下記表１に併記する。
【００６７】
【表１】
2010250302.tif 000003
【００６８】
比較例１の配設で、輝度ムラを抑制するためには反射シートから拡散板までの距離を３４ｍｍまで上げる必要があった。これに対し、実施例１および２はいずれも２６ｍｍで輝度ムラを抑制しているので、８ｍｍ薄型化していることが分かる。
【００６９】
（実施例３）
図１８に示すように、光源にＣＣＦＬ１を用い、光源下方に反射シート４を、光源上方に拡散板（ＤＳＦ６０）５、拡散シート（Ａ）３、拡散シート（Ｄ）１１、第１のプリズムシート（Ｂ）（ビキュイティＢＥＦIII）７、第２のプリズムシート（Ｂ）（ビキュイティＢＥＦIII）７、拡散シート（Ｃ）（オパルスＰＢＳ−０７１）９をこの順で配置し、実施例３の光源ユニットを構成した。拡散シート（Ａ）については、厚さ２５０μｍのＰＥＴ基材上の出光面に、周期が４７．６ｍｍであり、面内の拡散角度分布が最大３２度から最小０．１度の間でおおよそ図２５に示すように変化させたものを、拡散角度３２度となる部分を光源の直上に配置するようにして用いた。尚、図２５は、図２６の直線１９に示すような、所定の方向における相対位置を横軸にとり、該相対位置での拡散角度（ＬＤ８９００により測定）を縦軸にとった拡散角度分布図を表す。
【００７０】
拡散シート（Ｄ）はＣＣＦＬと平行する方向の拡散角度が３５°、ＣＣＦＬと直交する方向の拡散角度が９５°を示す異方拡散シートを用いた（ＬＳＤ９５×３５°、商品名、Ｌｕｍｉｎｉｔ（株）製）。プリズムシート（Ｂ）は第１のプリズムシート（Ｂ）のプリズム延在方向がＣＣＦＬと平行になるように配置し、第２のプリズムシート（Ｂ）はプリズム延在方向が第１のプリズム延在方向と直交するように配置した。
【００７１】
輝度ムラは、コニカミノルタ製の２次元色彩輝度計（ＣＡ２０００）を使用し、光線制御ユニットから７５ｃｍ離して設置し、光線制御ユニットの中心部２０ｍｍ×１９０ｍｍの範囲で測定した平均輝度値を輝度とした。輝度ムラはｘ軸（２０ｍｍ）方向の平均輝度値を求め、ｙ軸方向について、各々の点の輝度値を各々の点から±２３．８ｍｍ分の輝度平均値で割り返した値の標準偏差として輝度ムラとし、Ｓ．Ｄ．値を求めた。
【００７２】
ここで、反射シートから拡散板までの距離ｚを１８．３ｍｍ、ＣＣＦＬの周期を４７．６ｍｍとし、実施例３の光源ユニットにおける輝度ムラを上記の方法で測定し以下のように判定した。その結果を下記表２に示す。
○：  Ｓ．Ｄ．値が０．００４未満
×：  Ｓ．Ｄ．値が０．００４以上
【００７３】
（実施例４）
図１９に示すように、光源にＣＣＦＬ１を用い、光源下方に反射シート４を、光源上方に拡散シート（Ｆ）（旭化成ケミカルズ社製、商品名(ＤＬ５１０)）１５、拡散シート（Ａ）３、第１のプリズムシート（Ｂ）（ビキュイティＢＥＦIII）７、第２のプリズムシート（Ｂ）（ビキュイティＢＥＦIII）７、拡散シート（Ｄ）１１をこの順で配置し、実施例４の光源ユニットを構成した。拡散シート（Ａ）については、厚さ２５０μｍのＰＥＴ基材上の出光面に、周期が４７．６ｍｍであり、面内の拡散角度分布が最大５５°から最小０．８°の間でおおよそ図２７に示すように変化させたものを、拡散角度５５°となる部分を光源の直上に配置するようにして用いた。尚、図２７は、図２６に示すような、所定の方向における前記拡散シート（Ａ）面内の相対位置を横軸にとり、該相対位置での拡散角度（ＬＤ８９００により測定）を縦軸にとった拡散角度分布図を表す。
【００７４】
拡散シート（Ｄ）はＣＣＦＬと平行する方向の拡散角度が２０°、ＣＣＦＬと直交する方向の拡散角度が１０°を示す異方拡散シート（ＬＳＤ２０×１０°、商品名、Luminit（株）製）を用いた。プリズムシート（Ｂ）は第１のプリズムシート（Ｂ）のプリズム延在方向がＣＣＦＬと直交するように配置し、第２のプリズムシート（Ｂ）はプリズム延在方向が第１のプリズム延在方向と直交するように配置した。なお、輝度ムラは実施例３と同様の方法で測定した。
【００７５】
ここで、反射シートから拡散板までの距離ｚを１０ｍｍ、ＣＣＦＬの周期を４７．６ｍｍとし、実施例４の光源ユニットにおける輝度ムラを上記の方法で測定し、実施例３と同様に判定した。その結果を下記表２に併記する。
【００７６】
（実施例５）
図２０に示すように、光源にＣＣＦＬ１を用い、光源下方に反射シート４を、光源上方に拡散シート（Ｆ）（旭化成ケミカルズ社製、商品名(ＤＬ５１０)）１５、拡散シート（Ａ）３、集光拡散シート（Ｅ）（ＰＴＲ−７３３）１３、プリズムシート（Ｂ）（ビキュイティＢＥＦIII）７、反射型偏光フィルム６をこの順で配置し、実施例５の光源ユニットを構成した。拡散シート（Ａ）については、実施例４と同じものを用いた。なお、プリズムシート（Ｂ）はプリズム延在方向がＣＣＦＬと平行するように配置した。また、輝度ムラは実施例３と同様の方法で測定した。
【００７７】
ここで、反射シートから拡散板までの距離ｚを１２．３ｍｍ、ＣＣＦＬの周期を４７．６ｍｍとし、実施例５の光源ユニットにおける輝度ムラを上記の方法で測定し、実施例３と同様に判定した。その結果を下記表２に併記する。
【００７８】
（実施例６）
図２１に示すように、光源にＣＣＦＬ１を用い、光源下方に反射シート４を、光源上方に拡散板（ＤＳＦ６０）５、拡散シート（Ａ）３、拡散シート（Ｃ）（ＴＤＦ−１２７）９、プリズムシート（Ｂ）（ビキュイティＢＥＦIII）７、反射型偏光フィルム６をこの順で配置し、実施例６の光源ユニットを構成した。拡散シート（Ａ）については、実施例３と同じものを用いた。なお、プリズムシート（Ｂ）はプリズム延在方向がＣＣＦＬと平行するように配置した。また、輝度ムラは実施例３と同様の方法で測定した。
【００７９】
ここで、反射シートから拡散板までの距離ｚを１８．３ｍｍ、ＣＣＦＬの周期を４７．６ｍｍとし、実施例６の光源ユニットにおける輝度ムラを上記の方法で測定し、実施例３と同様に判定した。その結果を下記表２に併記する。
【００８０】
（比較例２）
図２２に示すように、光源にＣＣＦＬ１を用い、光源下方に反射シート４を、光源上方に拡散板（ＤＳＦ６０）５、拡散シート（Ｃ）（ＴＤＦ−１２７）９、プリズムシート（Ｂ）（ビキュイティＢＥＦIII）７、反射型偏光フィルム６をこの順で配置し、比較例２の光源ユニットを構成した。なお、プリズムシート（Ｂ）はプリズム延在方向がＣＣＦＬと平行するように配置した。また、輝度ムラは実施例３と同様の方法で測定した。
【００８１】
ここで、反射シートから拡散板までの距離ｚを１８．３ｍｍ、ＣＣＦＬの周期を４７．６ｍｍとし、比較例２の光源ユニットにおける輝度ムラを上記の方法で測定し、実施例３と同様に判定した。その結果を下記表２に併記する。
【００８２】
【表２】
2010250302.tif 000004
【００８３】
比較例２の配設で、輝度ムラを抑制するためには光源間距離を２６．６ｍｍに縮める必要があった。これに対し、実施例３〜６はいずれも４７．６ｍｍで輝度ムラを抑制しているので、光源間距離が２１ｍｍ広くなっていることが分かる。
【００８４】
次に、光源であるＬＥＤ２が図３１に示すような配置を示すバックライトユニットを用いて評価を行った結果を実施例７〜９に示す。
【００８５】
（実施例７）
図３２に示すように、光源にＬＥＤ２を用い、光源下方に反射シート４を、光源上方に拡散板（ＤＳＦ６０）５、拡散シート（Ａ）３、第１の拡散シート（Ｃ）（ＴＤＦ−１２７）９、第２の拡散シート（Ｃ）（ＴＤＦ−１２７）９、反射型偏光フィルム６をこの順で配置し、実施例７の光源ユニットを構成した。拡散シート（Ａ）については、厚さ２５０μｍのＰＥＴ基材上の出光面に、周期が図３１で示したＬＥＤと同じ周期（Ｘ方向に４１．６ｍｍ、Ｙ方向に３０．４ｍｍ）であり、面内における拡散角度分布が最大８２°から最小１９°の間でおおよそ図３３に示すように変化させたものを、拡散角度８２°となる部分を光源の直上に配置するようにして用いた。尚、図３３は、図３１のＸ方向における相対位置を横軸にとり、該相対位置での拡散角度（ＬＤ８９００により測定）を縦軸にとった拡散角度分布図を表す。
【００８６】
輝度ムラは、コニカミノルタセンシング株式会社製の２次元色彩輝度計（ＣＡ−２０００）を使用し、光線制御ユニットから約５０ｃｍ離して測定した。輝度ムラは、ｘ軸方向及びｙ軸方向の２方向について算出した値の平均値とした。まず、ｘ軸方向の輝度ムラを求めた。これは、ｙ軸（１５０ｍｍ）方向の平均輝度値を求め、ｘ軸方向について、各々の点の輝度値を各々の点から±１５ｍｍ分の輝度平均値で割り返した値の標準偏差として求めた（これを「ＸＳＤ」とする）。次に、ｙ軸方向の輝度ムラを求めた。これは、ｘ軸（１５０ｍｍ）方向の平均輝度値を求め、ｙ軸方向について、各々の点の輝度値を各々の点から±１５ｍｍ分の輝度平均値で割り返した値の標準偏差として求めた（これを「ＹＳＤ」とする）。最後に、ＸＳＤとＹＳＤを平均した値を算出してＳ．Ｄ．値とし、光線制御ユニットの輝度ムラとした。
【００８７】
ここで、反射シートから拡散板までの距離ｚを１７ｍｍ、ＬＥＤの周期を４１．６ｍｍ（図３２のＸ方向）とし、実施例７の光源ユニットにおける輝度ムラを上記の方法で測定し以下のように判定した。その結果を下記表３に示す。
○：  Ｓ．Ｄ．値が０．００４未満
×：  Ｓ．Ｄ．値が０．００４以上
【００８８】
（実施例８）
図３４に示すように、光源にＬＥＤ２を用い、光源下方に反射シート４を、光源上方に拡散板（ＤＳＦ６０）５、拡散シート（Ａ）３、第１の集光拡散シート（Ｅ）（ＰＴＲ−７３３）１３、第２の集光拡散シート（Ｅ）（ＰＴＲ−７３３）１３、反射型偏光フィルム６をこの順で配置し、実施例８の光源ユニットを構成した。拡散シート（Ａ）については、実施例７と同一のものを用いた。なお、輝度ムラは実施例７と同様の方法で測定した。
【００８９】
ここで、反射シートから拡散板までの距離ｚを１６ｍｍ、ＬＥＤの周期を４１．６ｍｍ（図３２のＸ方向）とし、実施例８の光源ユニットにおける輝度ムラを上記の方法で測定し以下のように判定した。その結果を下記表３に併記する。
○：  Ｓ．Ｄ．値が０．００４未満
×：  Ｓ．Ｄ．値が０．００４以上
【００９０】
（実施例９）
図３５に示すように、光源にＬＥＤ２を用い、光源下方に反射シート４を、光源上方に拡散板（ＤＳＦ６０）５、拡散シート（Ａ）３、第１のプリズムシート（Ｂ）（ビキュイティＢＥＦIII）７、第２のプリズムシート（Ｂ）（ビキュイティＢＥＦIII）７、反射型偏光フィルム６をこの順で配置し、実施例９の光源ユニットを構成した。プリズムシート（Ｂ）は第２のプリズムシート（Ｂ）のプリズム延在方向が、第１のプリズムシート（Ｂ）のプリズム延在方向と直交するように配置した。拡散シート（Ａ）については、実施例７と同一のものを用いた。なお、輝度ムラは実施例７と同様の方法で測定した。
【００９１】
ここで、反射シートから拡散板までの距離ｚを１６ｍｍ、ＬＥＤの周期を４１．６ｍｍ（図３２のＸ方向）とし、実施例９の光源ユニットにおける輝度ムラを上記の方法で測定し以下のように判定した。その結果を下記表３に併記する。
○：  Ｓ．Ｄ．値が０．００４未満
×：  Ｓ．Ｄ．値が０．００４以上
【００９２】
（比較例３）
図３６に示すように、光源にＬＥＤ２を用い、光源下方に反射シート４を、光源上方に拡散板（ＤＳＦ６０）５、第１の拡散シート（Ｃ）（ＴＤＦ−１２７）９、第２の拡散シート（Ｃ）（ＴＤＦ−１２７）９、反射型偏光フィルム６をこの順で配置し、比較例３の光源ユニットを構成した。なお、輝度ムラは実施例７と同様の方法で測定した。
【００９３】
ここで、反射シートから拡散板までの距離ｚを１６ｍｍ、ＬＥＤの周期を４１．６ｍｍ（図３２のＸ方向）とし、比較例３の光源ユニットにおける輝度ムラを上記の方法で測定し以下のように判定した。その結果を下記表３に併記する。
○：  Ｓ．Ｄ．値が０．００４未満
×：  Ｓ．Ｄ．値が０．００４以上
【００９４】
【表３】
2010250302.tif 000005
【００９５】
比較例３の配設で、輝度ムラを抑制するためには光源間距離を３０ｍｍに縮める必要があった。これに対し、実施例３〜６はいずれも４１．６ｍｍで輝度ムラを抑制しているので、光源間距離が１１．６ｍｍ広くなっていることが分かる。
【００９６】
本発明は上記実施の形態に限定されず、種々変更して実施することが可能である。例えば、上記実施の形態における部材の材質、配置、形状などは例示的なものであり、適宜変更して実施することが可能である。その他、本発明の範囲を逸脱しない限りにおいて適宜変更して実施することが可能である。
【産業上の利用可能性】
【００９７】
本発明は、液晶表示装置のような表示デバイスの拡散シートに有効である。
【符号の説明】
【００９８】
１  冷陰極管（ＣＣＦＬ）  ２  ＬＥＤ（発光ダイオード）  ３  拡散シート（Ａ）  ４  反射シート  ５  拡散板  ６  反射型偏光フィルム  ７，８  プリズムシート（Ｂ）  ９，１０  拡散シート（Ｃ）  １１，１２  拡散シート（Ｄ）  １３，１４  集光拡散シート（Ｄ）  １５，１６  拡散シート（Ｆ）  １７  液晶表示パネル  １８，１９  シート面内の相対位置を表す直線  ２０  ＬＥＤの周期方向を表す直線
【図１】
2010250302.tif 000006
【図３】
2010250302.tif 000007
【図４】
2010250302.tif 000008
【図５】
2010250302.tif 000009
【図６】
2010250302.tif 000010
【図７】
2010250302.tif 000011
【図８】
2010250302.tif 000012
【図９】
2010250302.tif 000013
【図１０】
2010250302.tif 000014
【図１１】
2010250302.tif 000015
【図１２】
2010250302.tif 000016
【図１３】
2010250302.tif 000017
【図１４】
2010250302.tif 000018
【図１５】
2010250302.tif 000019
【図１６】
2010250302.tif 000020
【図１７】
2010250302.tif 000021
【図１８】
2010250302.tif 000022
【図１９】
2010250302.tif 000023
【図２０】
2010250302.tif 000024
【図２１】
2010250302.tif 000025
【図２２】
2010250302.tif 000026
【図２３】
2010250302.tif 000027
【図２４】
2010250302.tif 000028
【図２５】
2010250302.tif 000029
【図２６】
2010250302.tif 000030
【図２７】
2010250302.tif 000031
【図３０】
2010250302.tif 000032
【図３１】
2010250302.tif 000033
【図３２】
2010250302.tif 000034
【図３３】
2010250302.tif 000035
【図３４】
2010250302.tif 000036
【図３５】
2010250302.tif 000037
【図３６】
2010250302.tif 000038
【図２】
2010250302.tif 000039
【図２８】
2010250302.tif 000040
【図２９】
2010250302.tif 000041